(57)【要約】【課題】画面に表示された用品表示図上の用品の入荷状況が一目で判断出来る用品入荷状況確認装置を提供する。【解決手段】入力装置１にて、外形図または内部用品配置図を作成するための入力を行うと、データー処理部３で処理され、外形図・内部用品配置図情報ファイル４に格納される。次に、用品手配状況情報及び用品入荷状況情報の入力を行うと、用品手配・入荷状況情報ファイル５に格納される。そして、表示条件入力を行うと、入力された表示条件に従い、両ファイルに格納されているデーターとの比較処理を行って、入力された表示条件に該当する用品を判別し、ＣＲＴ表示部２に表示された外形図及び内部用品配置図上に、入力された表示条件に該当する用品を、ハイライト表示する。これにより、画面に表示された外形図または内部用品配置図上の用品の入荷状況が一目で判断出来る。【選択図】図１
2011059876.tif 000002
【特許請求の範囲】
【請求項１】
入力手段と、この入力手段により用品を表示する用品表示図を作成するための入力が行われたとき、入力された前記用品表示図に関する情報を保存する用品表示図情報保存手段と、前記入力手段により前記用品表示図に表示される各用品の手配状況情報または入荷状況情報が入力されたとき、入力された前記各用品の手配状況情報または入荷状況情報を保存する用品手配・入荷状況情報保存手段と、前記入力手段により所定の表示条件が入力されたとき、前記用品表示図情報保存手段と用品手配・入荷状況情報保存手段とを参照して前記所定の表示条件に該当する用品を判別する判別手段と、前記用品表示図を表示するとともに、前記判別手段の判別結果に基づいて、前記所定の表示条件に該当する用品を、他の用品と区別できる態様で、表示された用品表示図上に表示する表示手段とを備えたことを特徴とする用品入荷状況確認装置。
【請求項２】
前記入力手段により入力される所定の表示条件が複数である場合に、前記表示手段は、それぞれの表示条件に該当する用品を、それぞれ異なる態様で表示するものであることを特徴とする請求項１に記載の用品入荷状況確認装置。
【発明の詳細な説明】
【技術分野】
【０００１】
本発明は、配電盤等の盤面、及び盤内に取り付ける用品の手配状況、または入荷状況を速やかに把握出来る用品入荷状況確認装置に関する。
【背景技術】
【０００２】
従来、配電盤等の配線を行う為に、盤面、及び盤内に用品の取り付けを行うが、その前にその用品を集める作業が必要な為、配線作業者が用品の入荷状況を調べなけれならない。
【０００３】
その作業は、パソコン等から入荷用品リストを出力し、そのリスト内容と、取り付けられる用品の配置を表示した外形図または内部用品配置図とを見比べながら用品一個一個の入荷状況の確認を行っていた。
【０００４】
なお、用品管理用データベースを設けて、商品の在庫情報を管理するとともに、在庫切れの商品に関してはその入荷予定日情報を管理し、検索によりこれらの情報を端末の画面上に表示することは、従来から知られている（例えば、特許文献１参照）。
【先行技術文献】
【特許文献】
【０００５】
【特許文献１】特開２００２−２３０３６０号公報
【発明の概要】
【発明が解決しようとする課題】
【０００６】
しかしながら、パソコン等から入荷用品リストを出力し、そのリスト内容と、盤面または盤内に用品の取り付けを行う配電盤の外形図または内部用品配置図とを見比べながら用品一個一個の入荷状況の確認を行うには、多くの時間が必要であった。
【０００７】
又、入荷済み用品と入荷遅れ用品等の把握を行う必要が有り、その作業も多くの時間が必要であった。
【０００８】
本発明は、上記記載の従来の問題点を解決するもので、画面に表示された用品表示図上の用品の入荷状況が一目で判断出来る用品入荷状況確認装置を提供することを目的とする。
【課題を解決するための手段】
【０００９】
上記目的を達成する為に、本発明に係る用品入荷状況確認装置は、入力手段と、この入力手段により、用品を表示する用品表示図を作成するための入力が行われたとき、入力された前記用品表示図に関する情報を保存する用品表示図情報保存手段と、前記入力手段により前記用品表示図に表示される各用品の手配状況情報または入荷状況情報が入力されたとき、入力された前記各用品の手配状況情報または入荷状況情報を保存する用品手配・入荷状況情報保存手段と、前記入力手段により所定の表示条件が入力されたとき、前記用品表示図情報保存手段と用品手配・入荷状況情報保存手段とを参照して前記所定の表示条件に該当する用品を判別する判別手段と、前記用品表示図を表示するとともに、前記判別手段の判別結果に基づいて、前記所定の表示条件に該当する用品を、他の用品と区別できる態様で、表示された用品表示図上に表示する表示手段とを備えたことを特徴とする。
【発明の効果】
【００１０】
本発明によれば、配電盤等の装置の外形図または内部用品配置図と、用品入荷状況のリストとを別々に見比べることなく、用品の入荷状況が一目で判断出来る用品入荷状況確認装置を提供することが出来る。
【００１１】
又、配電盤等の配線を行う配線作業者以外の者でも、短時間に、配電盤等の盤面及び盤内に取り付けられる用品の入荷状況が判断出来る。
【図面の簡単な説明】
【００１２】
【図１】本発明の一実施形態に係る用品入荷状況確認装置の概略構成を示すブロック図。
【図２】本発明の一実施形態の動作を示すフローチャート。
【図３】本発明の一実施形態におけるＣＲＴ表示部の画面表示の一例を示す図。
【発明を実施するための形態】
【００１３】
以下、図面を参照して本発明の一実施形態について詳細に説明する。
【００１４】
図１は、本発明の一実施形態に係る用品入荷状況確認装置の概略構成を示す図である。図１に示すように、この一実施形態に係る用品入荷日確認装置は、情報入力を行う入力装置１、表示を行うＣＲＴ表示部２、データーの処理を行うデーター処理部３、装置に取り付ける用品を表示する外形図及び内部用品配置図のデーターを保存する外形図・内部用品配置図情報ファイル４、用品の手配状況データーおよび入荷状況データーを保存する用品手配・入荷状況情報ファイル５から構成されている。
【００１５】
図２のフローチャートを参照して、この実施形態の動作を説明する。
【００１６】
入力装置１にて、外形図または内部用品配置図を作成するための入力を行い（ステップＳ２１）、入力されたデーターはデーター処理部３で処理され、作成された外形図または内部用品配置図のデーターは、外形図・内部用品配置図情報ファイル４に格納される（ステップＳ２２）。すなわち、この外形図または内部用品配置図を作成するための入力においては、入力装置１にて、例えば配電盤等の配線を行う為に必要な、盤面または盤内に取り付けられる各用品の名称（または各用品を特定する用品コード）の入力と、これらの各用品を、外形図または内部用品配置図の所定位置に配置して表示するための入力操作を行い、これらの入力操作によって作成される外形図または内部用品配置図は、データー入力操作中、必要に応じてＣＲＴ表示部２に表示されるとともに、外形図・内部用品配置図情報ファイル４に格納される。
【００１７】
次に、入力装置１にて、用品手配状況情報及び用品入荷状況情報の入力を行い（ステップＳ２３）、入力されたデーターはデーター処理部３で処理され、用品手配・入荷状況情報ファイル５に格納される（ステップＳ２４）。すなわち、この用品手配状況情報及び入荷状況情報の入力においては、入力装置１にて、例えば用品毎に、用品の名称（または各用品を特定する用品コード）と、その用品を手配したか否か（あるいは、手配した場合は、手配日）、その用品が入荷済みか否か（あるいは、入荷した場合は、入荷日）、またその用品が未入荷の場合は入荷予定日を入力し、入力されたこれらのデーターは、用品手配・入荷状況情報ファイル５に格納される。
【００１８】
次に、入力装置１にて、表示条件入力を行い（ステップＳ２５）、データー処理部３では、その入力された表示条件に従い、外形図・内部用品配置図データーと用品手配・入荷状況データーの比較処理を行い（ステップＳ２６）、その比較データー作成を行い（ステップＳ２７）、その比較結果から、入力された表示条件に該当する用品を判別し、ＣＲＴ表示部２に表示する（ステップＳ２８）。すなわち、この表示条件入力においては、入力装置１にて、表示条件として、ある表示条件を入力すると、データー処理部３では、外形図・内部用品配置図情報ファイル４と用品手配情報・用品入荷状況情報ファイル５とを参照して、入力された表示条件に従い、外形図・内部用品配置図データーと用品の手配・入荷状況データーとの比較処理を行って、入力された表示条件に該当する用品を判別し、ＣＲＴ表示部２に表示された外形図または内部用品配置図上に、入力された表示条件に該当する用品を、他の用品と区別できる態様で表示する。
【００１９】
例えば、表示条件として、入荷済み用品表示、何時から何時までに入荷する予定の用品、及び手配漏れ用品等の条件のうちの一つを入力すると、ＣＲＴ表示部２に外形図または内部用品配置図を表示するとともに、入力された表示条件に該当する入荷済み用品のハイライト表示、ある期間内に入荷予定用品のハイライト表示、あるいは手配漏れ用品のハイライト表示を行う。
【００２０】
例えば、ハイライト表示としては、表示条件として、入荷済み用品表示を入力した場合に、用品Ａだけが入荷済み用品である場合に、図３に示すように、他の用品を表示する線より、この用品Ａを表示する線を太くする。または、他の用品を黒色で表示している場合に、この入荷済み用品Ａを青色で表示してもよい。
【００２１】
以上により、外形図または内部用品配置図と、用品入荷状況リストとを、別々に見比べることなく、用品入荷状況が一目で判断出来る。
【００２２】
なお、上記説明では、ハイライト表示としたが、フリッカ表示とすることもできる。
【００２３】
また、上記説明では、表示条件を一つとしたが、表示条件を複数とし、表示条件毎、例えば手配または入荷状況毎にハイライト色を変え、入荷済み用品は青色で表示し、ある期間内の入荷用品は黄色で、また手配漏れ用品は赤色でハイライト表示することもできる。
【符号の説明】
【００２４】
１…入力装置
２…ＣＲＴ表示部
３…データー処理部
４…外形図・内部用品配置図情報ファイル
５…用品手配・入荷状況情報ファイル
【図１】
2011059876.tif 000003
【図２】
2011059876.tif 000004
【図３】
2011059876.tif 000005